(57)【要約】【課題】ブラシを把持させやすく、かつブラシの清潔状態と整頓状態を安定的に維持する化粧品容器を提供する。【解決手段】一対の案内溝が上端から長手方向に沿って切欠形成され、上部ストッパ突起が形成される案内管部と、上側が密閉された管形態のブラシ安着管を囲むよう配置されたスライディング管と、一対の案内溝の配置に対応する位置にブラシ安着管の外表面からスライディング管の内表面に到達するよう形成された一対の案内突起を有し、案内突起が上部ストッパ突起の上側に位置し、案内管部の下端に向けて押圧されることにより案内突起が上部ストッパ突起を越えて案内溝に沿って下方に移動できるよう案内管部に設けられるブラシホルダーと、ブラシホルダーが案内溝に沿って下方に移動した場合に案内管部の下端から露出するブラシと、ブラシホルダーの上側に配置され、案内管部の上端に結合される離脱防止キャップと、を含むことを特徴とする化粧品容器。【選択図】図１
2011235081.tif 000002
【特許請求の範囲】
【請求項１】
容器開口部を有する容器部と、前記容器開口部を開閉できるように前記容器部に結合された容器キャップを有する化粧品容器であって、
一対の案内溝が上端から長手方向に沿って切欠形成され、前記案内溝には上部ストッパ突起が形成され、前記容器キャップの上端に結合される案内管部と、
上側が密閉された管形態のブラシ安着管と、前記ブラシ安着管を囲むように配置されたスライディング管と、前記一対の案内溝の配置に対応する位置に前記ブラシ安着管の外表面から前記スライディング管の内表面に到達するように形成された一対の案内突起を有し、前記案内突起が前記上部ストッパ突起の上側に位置し、前記案内管部の下端に向けて押圧されることにより前記案内突起が前記上部ストッパ突起を越えて前記案内溝に沿って下方に移動できるように前記案内管部に設けられるブラシホルダーと、
前記ブラシホルダーが前記案内溝に沿って下方に移動した場合に前記案内管部の下端から露出されるように前記ブラシ安着管に取り付けられたブラシと、
前記ブラシホルダーの上側に配置され、前記案内管部の上端に結合される離脱防止キャップと、
を含むことを特徴とする化粧品容器。
【請求項２】
前記容器キャップには上側領域に逃げ空間が形成され、
前記案内管部は、前記逃げ空間に入るよう前記容器キャップに結合されることを特徴とする請求項１に記載の化粧品容器。
【発明の詳細な説明】
【技術分野】
【０００１】
本発明は、化粧品容器に関し、より詳しくは、粉末タイプ、液状タイプ、または固状タイプの化粧品を貯蔵するための容器部及び容器部に貯蔵された化粧品を塗して使用するためのブラシを有する化粧品容器に関する。
【背景技術】
【０００２】
化粧品の中には、アイシャドウ、化粧用パウダーのようにブラシを使用して化粧領域に塗布するものがある。このようにブラシを使用する化粧品を貯蔵する化粧品容器として、化粧品を貯蔵するための容器部と、容器部に貯蔵された化粧品を塗して使用するためのブラシと、を有する化粧品容器が提案されている。
【０００３】
ここで、従来の化粧品容器について図６〜図７を参照して説明する。図６は従来の化粧品容器の結合斜視図であり、図７は従来の化粧品容器の分解斜視図であり、図８は従来の化粧品容器の断面図である。
【０００４】
従来の化粧品容器は、図６〜図７に示すように、容器開口部１１０ａを有する容器部１１０と、容器開口部１１０ａを開閉できるように容器部１１０に結合された容器キャップ１２１と、容器キャップ１２１に結合されたブラシ１２３と、を有している。
【０００５】
容器部１１０は、上向き開口の下部容器部１１１と、下部容器部１１１の上端に着脱可能に結合された上向き開口の上部容器部１１２と、を有している。
【０００６】
上部容器部１１２は、底面に粉透過孔１１２ａが形成されている。
【０００７】
容器キャップ１２１は、上部容器部１１２の開口部を開閉するように上部容器部１１２にねじ結合される。
【０００８】
ブラシ１２３は、容器キャップ１２１が上部容器部１１２に結合される際、上部容器部１１２の底面に到達する長さ区間を有している。
【０００９】
このような構成を有する従来の化粧品容器の使用方法について以下に説明する。
【００１０】
まず、下部容器部１１１と上部容器部１１２とを分離した後、下部容器部１１１に粉末形態の化粧品を貯蔵する。
【００１１】
次に、下部容器部１１１を上部容器部に結合させてから化粧品容器を逆さにすることで、化粧品が粉透過孔１１２ａを通過させ、ブラシ１２３に化粧品を塗す。
【００１２】
次に、容器キャップ１２１を分離した後、ブラシ１２３を化粧領域に接触させる。
【発明の概要】
【発明が解決しようとする課題】
【００１３】
しかし、上述した従来の化粧品容器によれば、上部容器部から分離した容器キャップ１２１を把持してブラシ１２３を動かすので、使用時のブラシ把持区間が短く、使用が不便であるという問題点があった。
【００１４】
また、ブラシ１２３が下部容器部１１１に対して露出された状態で保管されるので、ブラシ１２３を清潔に維持することが困難であるという問題がある。また、容器キャップ１２１を上部容器部１１２に結合する際、ブラシ１２３の整頓状態が乱れる（ブラシ毛が上部容器部に進入する過程で、上部容器部にかかって外側に折れる）という問題があった。
【００１５】
そこで、本発明は、上記問題に鑑みてなされたものであり、本発明の目的とするところは、ブラシを把持させやすく、かつブラシの清潔状態と整頓状態を安定的に維持することが可能な、新規かつ改良された化粧品容器を提供することにある。
【課題を解決するための手段】
【００１６】
上記課題を解決するために、本発明のある観点によれば、容器開口部を有する容器部と、前記容器開口部を開閉できるように前記容器部に結合された容器キャップを有する化粧品容器であって、一対の案内溝が上端から長手方向に沿って切欠形成され、前記案内溝には上部ストッパ突起が形成され、前記容器キャップの上端に結合される案内管部と、上側が密閉された管形態のブラシ安着管と、前記ブラシ安着管を囲むように配置されたスライディング管と、前記一対の案内溝の配置に対応する位置に前記ブラシ安着管の外表面から前記スライディング管の内表面に到達するように形成された一対の案内突起を有し、前記案内突起が前記上部ストッパ突起の上側に位置し、前記案内管部の下端に向けて押圧されることにより前記案内突起が前記上部ストッパ突起を越えて前記案内溝に沿って下方に移動できるように前記案内管部に設けられるブラシホルダーと、前記ブラシホルダーが前記案内溝に沿って下方に移動した場合に前記案内管部の下端から露出されるように前記ブラシ安着管に取り付けられたブラシと、前記ブラシホルダーの上側に配置され、前記案内管部の上端に結合される離脱防止キャップと、を含むことを特徴とする化粧品容器が提供される。
【００１７】
ここで、案内管部の設置空間を減少させることができるように、前記容器キャップには上側領域に逃げ空間が形成され、前記案内管部は、前記逃げ空間に入るよう前記容器キャップに結合されてもよい。
【発明の効果】
【００１８】
以上説明したように本発明によれば、ブラシを把持させやすく、かつブラシの清潔状態と整頓状態を安定的に維持することが可能である。
【図面の簡単な説明】
【００１９】
【図１】本発明の実施形態に係る化粧品容器の結合斜視図である。
【図２】本発明の実施形態に係る化粧品容器の分解斜視図である。
【図３】本発明の実施形態に係る化粧品容器の部分切欠断面図である。
【図４】本発明の実施形態に係る化粧品容器のブラシホルダー領域の詳細図である。
【図５】本発明の実施形態に係る化粧品容器の使用方法を示す図である。
【図６】従来の化粧品容器の結合斜視図である。
【図７】従来の化粧品容器の分解斜視図である。
【図８】従来の化粧品容器の断面図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
図１は本発明の実施形態に係る化粧品容器の結合斜視図であり、図２は本発明の実施形態に係る化粧品容器の分解斜視図であり、図３は本発明の実施形態に係る化粧品容器の部分切欠断面図であり、図４は本発明の実施形態に係る化粧品容器のブラシホルダー領域の詳細図である。
【００２２】
本発明の実施形態に係る化粧品容器は、図１〜図４に示すように、容器開口部１０ａを有する容器部１０と、容器開口部１０ａを開閉できるように容器部１０に結合された容器キャップ２１と、容器キャップ２１の上端に結合される案内管部２２と、案内管部２２に設けられたブラシホルダー３０と、ブラシ安着管３１に取り付けられたブラシ２３と、案内管部２２の上端に結合された離脱防止キャップ２４と、を有している。
【００２３】
容器部１０には化粧品が貯蔵され、化粧品が貯蔵された容器部１０の容器開口部１０ａはパッキン５１により臨時に密閉される。
【００２４】
容器キャップ２１には上側領域から案内管部２２が入るように逃げ空間２１ａが形成されている。
【００２５】
容器キャップ２１の下側開口部は、密閉部材５２により密閉される。
【００２６】
案内管部２２は、一対の案内溝２２ａが上端から長手方向に沿って１８０度の位相差を置いて切欠形成されている。
【００２７】
案内溝２２ａには、上部ストッパ突起２２ｂ及び下部ストッパ突起２２ｃが形成されている。
【００２８】
このような構成を有する案内管部２２は、案内溝２２ａが上側に配置され、逃げ空間２１ａに進入するように容器キャップ２１に結合される。
【００２９】
ブラシホルダー３０は、上側が密閉された管形態のブラシ安着管３１と、ブラシ安着管３１を囲むように配置されたスライディング管３２と、ブラシ安着管３１の外表面から延長形成された一対の案内突起３３と、を有している。
【００３０】
一対の案内突起３３は、１８０度の位相差を置いた位置（一対の案内溝２２ａに対応する位置）に、ブラシ安着管３１の外表面からスライディング管３２の内表面に到達するように延長形成される。
【００３１】
このような構成を有するブラシホルダー３０は、案内突起３３が案内管部２２の案内溝２２ａに設けられた上部ストッパ突起２２ｂの上側に配置されるように案内管部２２に設置される。
【００３２】
そして、ブラシホルダー３０が案内管部２２の下端方向に向けて押圧されることにより、案内突起３３が案内管部２２の案内溝２２ａに設けられた上部ストッパ突起２２ｂを越えて、案内突起３３が案内溝２２ａに沿って下方に移動することで、ブラシホルダー３０は案内管部２２の長手方向に沿って移動できるようになる。かかるブラシホルダー３０の移動は、案内溝２２ａに設けられた下部ストッパ突起２２ｃにより制限される。
【００３３】
ブラシ２３は、ブラシホルダー３０が案内管部２２の長手方向に沿って移動すると、案内管部２２の下端を越えて露出されるようブラシ安着管３１に取り付けられている。
【００３４】
離脱防止キャップ２４は、ブラシホルダー３０のブラシ安着管３１とスライディング管３２により形成される隙間に案内管部２２が設置された場合に、ブラシホルダー３０の上側で案内管部２２に結合される。
【００３５】
このような構成を有する本発明の実施形態に係る化粧品容器を使用する方法について図５を参照して説明する。説明の便宜のために、容器部１０には化粧品が貯蔵されており、パッキン５１は除去されていることを前提とする。
【００３６】
まず、図１や図３に示す状態にある化粧品容器において、容器キャップ２１を容器部１０から分離する。
【００３７】
次に、図４に示すような案内管部２２に設置された状態のブラシホルダー３０を容器キャップ２１から分離する。
【００３８】
次に、図５に示すようにブラシホルダー３０を案内管部２２の長手方向に沿って下方に移動させて、ブラシ２３を案内管部２２の下端を越えて露出させる。このように、ブラシホルダー３０が案内管部２２の下方に移動することで、ブラシホルダー３０に覆われていた案内管部２２がブラシホルダー３０の上部に露出し、把持区間が長くなる。
【００３９】
次に、容器部１０にブラシ２３を入れてブラシ２３に化粧品を塗す。
【００４０】
次に、ブラシ２３を化粧領域に接触させる。
【００４１】
化粧が終わると、ブラシホルダー３０を案内管部２２の上方に移動させてブラシ２３を案内管部２２の内部に収納する。
【００４２】
次に、ブラシホルダー３０を容器キャップ２１に結合させる。
【００４３】
最後に、容器キャップ２１を容器部１０に結合させる。
【００４４】
前述したように、本発明の実施形態によれば、容器キャップ２１の上端に結合された案内管部２２の長手方向に沿って移動できるようにブラシホルダー３０を案内管部２２に設置し、ブラシホルダー３０を案内管部２２の案内溝２２ａに沿って下方に移動させると案内管部２２の下端から露出されるようにブラシ２３をブラシホルダー３０に結合することで、使用時に案内管部２２がブラシホルダー３０の上部に突出する分、把持区間が長くなるため、ブラシが把持しやすく、使用が容易になる。
【００４５】
また、保管時にはブラシ２３が案内管部２２の内部に収納されるため、ブラシ２３の清潔状態を安定的に維持することができる。また、ブラシ２３が案内管部２２の内部に収納される際、案内管部２２によりブラシ２３が集められるため、ブラシ２３の整頓状態を安定的に維持できるようになる。
【００４６】
そして、容器キャップ２１に逃げ空間２１ａを形成し、逃げ空間２１ａに進入するように案内管部２２を容器キャップ２１に結合することで、案内管部２２の設置空間を減少させることができる。
【符号の説明】
【００４７】
１０      容器部
２１      容器キャップ
２２      案内管部
２３      ブラシ
２４      離脱防止キャップ
３０      ブラシホルダー
３１      ブラシ安着管
３２      スライディング管
３３      案内突起
１１０    容器部
１１１    下部容器部
１１２    上部容器部
１２１    容器キャップ
１２３    ブラシ
【図１】
2011235081.tif 000003
【図２】
2011235081.tif 000004
【図３】
2011235081.tif 000005
【図４】
2011235081.tif 000006
【図５】
2011235081.tif 000007
【図６】
2011235081.tif 000008
【図７】
2011235081.tif 000009
【図８】
2011235081.tif 000010